(57)【特許請求の範囲】
【請求項１】
複数のスラットを揺動させる揺動機構であって、
該揺動機構は、操作スライダーのスライド力を回転力に変換させるねじりバーを備え、
前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けて、前記操作スライダーの滑動方向に応じて、正転或いは逆転するように形成されていることを特徴とする揺動機構。
【請求項２】
前記操作スライダーには、その操作スライダーを操作する際に生じるガタを防止するガタツキ防止手段を備えていることを特徴とする請求項１に記載の揺動機構。
【請求項３】
複数のスラットを揺動させる揺動機構であって、
スライド力を回転力に変換させるねじりバーと、
該ねじりバーの一端側に取付けられ、且つ、その回転力が伝達される第１の伝達部材と、
該第１の伝達部材に取付けられ、且つ、その回転力が伝達されるバー部材と、
前記複数のスラットに対応するように、前記バー部材に所定間隔をおいて取付けられ、且つ、その回転力が伝達される第２の伝達部材とからなり、
前記ねじりバーは、薄板状の棒材の一端に対する他端の回転角度を所定のねじり角に形成すると共に、
前記ねじりバーの両端をそれぞれ回転軸に固定し、これらの回転軸を軸受けに取付けると共に、前記ねじりバーと前記第１の伝達部材間に一方の回転軸を介在させたことを特徴とする揺動機構。
【請求項４】
雨戸框、該雨戸框に配列された複数のスラット、及びこれらのスラットを揺動させる揺動機構を設けた雨戸であって、
該揺動機構は、スライド力を回転力に変換させるねじりバーと、
該ねじりバーの一端側に取付けられ、且つ、その回転力が伝達される第１の伝達部材と、
該第１の伝達部材に取付けられ、且つ、その回転力が伝達されるバー部材と、
前記複数のスラットに対応するように、前記バー部材に所定間隔をおいて取付けられ、且つ、その回転力が伝達される第２の伝達部材とからなり、
前記ねじりバーは、薄板状の棒材の一端に対する他端の回転角度を所定のねじり角に形成すると共に、
前記ねじりバーの両端をそれぞれ回転軸に固定し、これらの回転軸を軸受けに取付けると共に、前記ねじりバーと前記第１の伝達部材間に一方の回転軸を介在させたことを特徴とする雨戸。
【請求項５】
前記ねじりバーは、前記雨戸框を構成する中框に配置されていることを特徴とする請求項４に記載の雨戸。
【請求項６】
前記中框の上方に配置されている複数のスラットを揺動させる第１の揺動機構と、前記中框の下方に配置されている複数のスラットを揺動させる第２の揺動機構を設けたことを特徴とする請求項５に記載の雨戸。
【請求項７】
戸袋に収納或いは戸袋から引出可能な請求項４乃至６の何れかに記載の雨戸。
【請求項８】
雨戸枠に設けられたレール構造に対応できる戸車装置を取付けたことを特徴とする請求項４乃至７の何れかに記載の雨戸。
【発明の詳細な説明】
【０００１】
【発明の属する技術分野】
この発明は、スラットの揺動機構及び建物の開口部に設けられる建具としての雨戸に関する。
【０００２】
【従来の技術】
雨戸は、防犯、防雨、防風という機能を果たすもので、雨戸框に雨戸板を張付ける構成であり、木製から鋼製雨戸へと、その材質を変化させつつ、現在に至っている。
【０００３】
【発明が解決しようとする課題】
しかし、雨戸の室内側に配置されている窓の防犯、防雨、防風の機能の高まりにより、雨戸を使用する機会は、風雨の激しい台風の来襲時等や、長期間に亘って家を不在にする場合等に限られる傾向にあった。
【０００４】
一方、頻繁に使用される場合であっても、雨戸框に雨戸板を張付けるという基本構成故に、通風、換気、採光が犠牲にされている。
【０００５】
そこで出願人は、スラットを雨戸の構成要素とすると共に、スラットの揺動機構を取付けて、通風、換気及び採光等の新たな機能を付加した雨戸を提案している。
本願は、第１に、このような雨戸の開発を推し進め、スラットを揺動させる揺動機構の操作性の向上を図ること、第２に、そのような揺動機構により、雨戸の通風、換気及び採光等の機能を高めること、第３に、このような機能を備えた雨戸と既存の雨戸との取替えを容易にすることを目的とする。
【０００６】
【課題を解決するための手段】
上記第１の課題を解決するため、本願発明の揺動機構は、複数のスラットを揺動させる揺動機構であって、該揺動機構は、操作スライダーのスライド力を回転力に変換させるねじりバーを備え、前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けて、前記操作スライダーの滑動方向に応じて、正転或いは逆転するように形成されていることを特徴とする揺動機構とした（請求項１に記載の発明）。
また、前記操作スライダーには、その操作スライダーを操作する際に生じるガタを防止するガタツキ防止手段を備えていることを特徴とする（請求項２に記載の発明）。
また、複数のスラットを揺動させる揺動機構であって、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、その回転力が伝達される第２の伝達部材とからなり、前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする揺動機構とした（請求項３に記載の発明）。
これらの発明によれば、スライド力を付与する装置（例えば上記操作スライダー）を左右にスライドさせるというスライド運動によって動作するので、スラットの揺動操作の容易性が向上している。
【０００７】
上記第２の課題を解決するため、本願発明は、雨戸框、該雨戸框に配列された複数のスラット、及びこれらのスラットを揺動させる揺動機構を設けた雨戸であって、該揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、その回転力が伝達される第２の伝達部材とからなり、前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする雨戸とした（請求項４に記載の発明）。
【０００８】
本発明の複数のスラットは、従来の雨戸の雨戸板に代えて、雨戸框の全面に配置してもよいし、雨戸框の面内の一部の領域でもよい。
【０００９】
上記揺動機構を備えた雨戸では、スラットの閉鎖時には、防犯、防雨、防風の機能を果たすことができると共に、スラットの開放時には、通風、換気及び採光が可能となる。さらに次にような作用効果を備えている。
第１に、スライド力を回転力に変換させるねじりバーを用いるので、スライド力付与装置がコンパクトに雨戸框に納められる。
第２に、ねじりバーのねじれ角を調整することにより、スライド力の付与の強弱、スラットの揺動角度（開閉角度）を調節できる。
第３に、スラットを好きな開閉角度に静止させることができ、且つ、その状態でスラットを動かしても、その力がスライド力付与装置まで伝達し難い。
【００１０】
上記発明において、前記ねじりバーは、雨戸框の上框、下框等に配置してもよいが、雨戸框を構成する中框に配置するようにしてもよい（請求項５に記載の発明）。
この発明によれば、操作者がスライド力付与装置を操作し易い、というメリットが得られる。雨戸框に中框を設けない場合には、中框に相当する位置に前記ねじりバーを配置する。
【００１１】
上記発明において、前記中框の上方に配置されている複数のスラットを揺動させる第１の揺動機構と、前記中框の下方に配置されている複数のスラットを揺動させる第２の揺動機構を設けてもよい（請求項６に記載の発明）。
第１，第２の各揺動機構の操作により、中框を境に上下部の各スラットの開閉角度を略同一に或いは相違させて調節することができる。
また、上記各発明の雨戸は、戸袋に収納或いは戸袋から引出可能なようになっている（請求項７に記載の雨戸）。
【００１２】
上記第３の課題を解決するため、本願発明の雨戸には、雨戸枠に設けられたレール構造に対応できる戸車装置を取付けたことを特徴とする（請求項８に記載の雨戸）
雨戸枠のレール構造及び戸車は単一に標準化されているものではない。この場合、雨戸枠のレール構造を予め調べて、それに合った戸車を取付けることは、取付施工の作業を煩雑にする。
よって、雨戸枠のレール構造に対応できる戸車装置を取付けていれば、予め雨戸枠のレール構造を調べることなく、直ちに雨戸を取付けることができ、取付作業の煩雑さを解消できる。
【００１３】
【発明の実施の形態】
第１実施形態に係る本発明の雨戸について、図面を参照しつつ詳細に説明する。
図１は各スラットが閉鎖状態の雨戸の室外側正面図、図２（ａ）は同室内側正面図、図２（ｂ）及び（ｃ）は一部分の図示を省略し、且つ、拡大した雨戸の縦断面及び横断面図、図３及び図４は揺動機構の要部正面図及び同平面図、図５及び図６は図３のＡ-Ａ矢視断面図及びＢ-Ｂ矢視断面図、図７は同分解斜視図である。
なお、上記各図及び後述の各図において、同一の構成は同一の符号を用いて詳細な説明を省略する。
【００１４】
前記雨戸１は、図１及び図２に示したように、上下框１０，１１、左右竪框１２，１３及び中框１４からなる雨戸框に、スラット２をそれぞれ水平方向に配列し、前記中框１４に後述する揺動機構を操作する操作スライダー１５を臨ませている。
前記操作スライダー１５が、図２の面上、左右方向にスライドされると、前記各スラット２、２、２・・・が揺動し、開閉するようになっている。
このように、スラット２の開閉を行う揺動機構は、前記操作スライダー１５を左右にスライドさせるというスライド運動によって動作するので、スラット２の揺動操作の容易性が向上している。
また、図４等に示したように、見込み方向の幅内に前記操作スライダー１５が納められ、コンパクト化が図られており、戸袋への出入れの際の雨戸１の引回しも容易となっている。
【００１５】
前記揺動機構は、図３乃至図７に示したように、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００１６】
前記操作スライダー１５は、摘み片１５０とスライダー本体１５１からなり、そのスライダー本体１５１が、中框１４の室内側凹面１４０に設けられたスライド枠１４１に沿って直線的に滑動できるように配置されている。
前記スライダー本体１５１には、前記スライド枠１４１に略平行な孔１５２（図５等参照）が設けられており、その孔１５２に前記ねじりバー３が挿通されている。
前記スライダー本体１５１は、図３及び図４に示したように、略立方体状に成形されているが、前記スライド枠１４１に沿って直線的に滑動できるような形状であればどのようなものでもよく、例えば小判状でもよい。
【００１７】
前記ねじりバー３は、薄板状の棒材を所定のねじれ角によって変形させたもので、前記操作スライダー１５の滑動方向に応じて、正転或いは逆転するようになっている。
前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。
【００１８】
例えば、図８に示したように、前記ねじりバー３の一端３０から他端３１までの長さＬに対し、他端の回転角度は約２１０度のように成形してもよい。
同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。
また、同じ回転角度において、ねじりバー３の取付長さを調整することにより、スラット２の開閉角度を調整することができる。
【００１９】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４１に固定された軸受３３、３３に取付けられている。
【００２０】
前記回転軸３２は、図３、図４及び図７に図示されているように、前記ねじりバー３の端部を固定する固定円柱部３２０と、この固定円柱部３２０より縮径された回転部３２１とからなる。
この回転部３２１には、前記第１の伝達部材５の一端を固定する４角孔３２２が形成されている。
これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。
【００２１】
なお、前記ねじりバー３と第１の伝達部材５間に前記回転軸３２を介在させることにより、ねじりバー３の円滑な回転を図ると共に、ねじれ角の異なるねじりバー３の交換も容易となる。
【００２２】
前記第１の伝達部材５は、図４等に示したように、その一端５０がねじりバー３及び回転軸３２と略同一軸上に配置され、前記回転軸３２の四角孔３２２に固定されるており、その一端５０を中心にして、他端５１が前記ねじりバー３の回転に応じて回転する。
この第１の伝達部材５は、略小判状に形成されている（図７等参照）が、前記一端５０に相当する回転中心部と、前記他端５１に相当する回転部を備えていれば、どのような形状でもよい。
【００２３】
前記第１の伝達部材５の他端５１は、図４等に示したように、前記竪框１３に沿って配置されているバー部材４の孔４０に空転可能に取付けられている。
【００２４】
前記バー部材４は、前記第１の伝達部材５からの回転に同調させて各スラット２を回転させるもので、各スラット２の配置間隔に応じた孔４１が設けられている（図７等参照）。
【００２５】
一方、前記バー部材４の孔４１に対応するように、前記第１の伝達部材５と略同一の形状に成形された第２の伝達部材６の一端６０が、後述のスラットホルダ７を介して前記竪枠１３に回転可能に配置されている（図６等参照）。
この第２の伝達部材６の他端６１は、前記バー部材４の前記各孔４１に空転可能に配置されており、第２の伝達部材６は、その一端６０を中心にして前記第１の伝達部材５と同調して回転する。
【００２６】
前記スラットホルダ７は、図７等に示したように、前記竪框１３内に臨む回転軸７０と、この回転軸７０に同軸的に固定され、且つ、竪框１３の外側面に当接する鍔部７１と、前記スラット２の側面に埋込まれる楔部７２からなっている。
【００２７】
なお、図２（ｃ）に図示したように、前記スラット２の他端を回転可能に保持するスラットホルダ７Ａは、前記竪框１２に取付けられており、前記スラットホルダ７と同様に構成され、その楔部７３が前記スラット２の側面に埋込まれている。
【００２８】
次に、前記スラット２の構成例を説明する。
スラット２は、図７等に示したように、前記スラットホルダ７の楔部７２を取付ける取付部２０を設けた中空部２１と、この中空部２１の下部から下方に延出された板状部２２からなり、例えばアルミニウム等の金属材料の押出成形によって形成されている。
このスラット２の主な特徴的な点は、スラット２を略水平位置まで回動させた場合、その上部が竪框１２、１３の遮光片１２０、１３０（図２（Ｃ）参照）と干渉しないような寸法に形成されていること、前記中空部２１の上部室外側に消音部材２３を取付けたことである。
【００２９】
前記竪框１２、１３に開閉可能なスラット２を取付ける場合、スラット両端に僅かな間隙が形成されてしまい、外部からの光、室内側からの光が漏れることになる。
このことは、防犯上好ましくないことから、前記竪框１２、１３には遮光片１２０、１３０が形成されている。この遮光片１２０、１３０と前記スラット上部との干渉を避けるため、図２等に示したように、スラット２の中空部２１の寸法が、スラット２の回転中心（前記第２の伝達部材６の一端６０）から遮光片までの距離に比べ、短くなるように形成した。
【００３０】
前記消音部材２３は、例えば塩化ビニールからなるもので、各スラット２を閉じた際に、上下のスラットが当たるときに発生する音を消音すると共に、雨仕舞の機能も発揮する。
【００３１】
なお、前記下框１１には、図２（ｂ）に示したように、戸車８が取付けられており、開口部に設けられたレールに載せて、戸袋に収納或いは戸袋から引出せるようになっている。
【００３２】
次に、上記のように構成された雨戸の使用例を図９（ａ）〜（ｄ）に基づいて説明する。
図９（ａ）及び（ｂ）は各スラット２が閉じた状態の要部断面図、同図（ｃ）は各スラット２を略４５度に開いた状態の要部断面図、同図（ｄ）は各スラット２を略９０度に開いた状態の要部断面図である。
【００３３】
前記スラット２が図９（ａ）及び（ｂ）に示した閉鎖状態にあるときは、前記操作スライダー１５は同図に示した右端の位置にある。
この位置から前記操作スライダー１５を図面上、左方向にスライドさせると、そのスライド力は、ねじりバー３、回転軸３２、第１の伝達部材５、バ部材４、第２の伝達部材６、スラットホルダ７を介してスラット２に伝達され、各スラット２が前記操作スライダー１５のスライド幅に応じた角度で開放される。
【００３４】
図９（ｃ）のように、前記操作スライダー１５を中間位置まで移動させると、前記スラット２が半開され、同図（ｄ）のように、さらに左端まで前記操作スライダー１５をスライドさせると、スラット２が全開となる。
【００３５】
各スラット２を閉じるときには、前記操作スライダー１５を右側にスライドさせればよい。
【００３６】
上述のように、上記各動作において、前記操作スライダー１５を左右にスライドさせることで、各スラット２の開閉を行うので、開閉操作が極めて容易である。
また、前記ねじりバー３のねじれ角を小さくすることにより、小さな力でスライドさせることができる。
また、各スラット２を略９０度の範囲で、好きな角度で固定することができる。この場合、各スラット２の開閉角度を大きくしたいときには、より大きなねじれ角のねじりバーに交換すれば良い。
また、ねじりバー３にはねじれ角が存在するので、スラット２を動かしても、操作スライダー１５はスライドし難く、防犯性に優れている。
また、ねじりバー３は、その製造コストを安価に押さえることができる。
また、ねじりバー３のねじれ方向を逆転させて（反時計回り）成形することにより、前記操作スライダー１５が図９（ａ）及び（ｂ）に示した位置にあるときには、前記スラット２を開放状態にすることができる。
さらに、前記左右の竪框１２，１３に遮光片１２０，１３０が形成されているので、この点からも防犯性に優れている。
【００３７】
次に、図１０に基づき、第２実施形態について説明する。
この第２実施形態の雨戸１Ａが、第１実施形態の雨戸１と異なる点は、前記揺動機構を、室内側から見て、右側に配置した点である。
第１実施形態に係る雨戸１と、この第２実施形態に係る雨戸１Ａとを組合わせることにより、需要者の要求に応じた使い勝手のよい雨戸を提供できる。例えば雨戸を２枚使用する場合に、前記雨戸１と前記雨戸１Ａを用いて、前記操作スライダー１５，１５を隣接させることができる。
その他の構成は、第１実施形態の雨戸１と同様であるので、同様の作用効果を得ることができる。
【００３８】
次に、図１１に基づき、第３実施形態について説明する。
この第３実施形態の雨戸１Ｂが、第１実施形態の雨戸１と異なる点は、前記揺動機構を上下に分割し、上框１０と中框１４間の各スラット２を揺動させる第１の揺動機構と下框１１と中框１４間の各スラット２を揺動させる第２の揺動機構を設けた点である。
この雨戸１Ｂによれば、その設置環境に応じて、上下の揺動機構を同時に操作したり、上或いは下の揺動機構を別々に操作することもできる。
その他の構成は、第１実施形態の雨戸１と同様であるので、同様の作用効果を得ることができる。
【００３９】
前記各実施形態においては、前記操作スライダー１５、前記ねじりバー３、前記回転軸３２及び前記第１の伝達部材５は、中框１４に取付けられているが、上框１０、下框１１に取付けてもよい。この場合には中框１４に代えてスラット２を配置してもよい。
また、前記回転軸３２の回転方向を直交させる部材を、その回転軸３２と第１の伝達部材５間に介在させることにより、前記操作スライダー１５、前記ねじりバー３及び前記回転軸３２を竪框側に配置することもできる。
また、前記各実施形態においては、前記雨戸框内の略全面にスラットを配置していたが、雨戸框内の上部、中部或いは下部など、所定の領域に限定し、これらのスラットを揺動させる揺動機構を設けてもよい。
【００４０】
次に、図１２に基づいて、前記揺動機構の別例に係る実施形態（以下、第４実施形態とする）について説明する。
この第４実施形態の特徴は、前記揺動機構を構成する操作スライダー１５Ａの摘み片１５０を、前記スライダー本体１５１の上面に取付けて、前記雨戸１等の枠面内方向Ｘに平行となるように配置したものである。また、前記スライダー本体１５１には、前記ねじりバー３の「ねじれ」に対応するようなねじり状の孔１５２を設けることが望ましく、その孔１５２に前記ねじりバー３が挿通されている。
このような構成の揺動機構を、中框１４、上框１０、下框１１或いは左右竪框１２、１３に取付ければ、前記摘み片１５０が各框幅から突出することがないので、雨戸のコンパクト化の徹底を図ることができる。
その他の構成は、上記各実施形態と略同様であるので、同一の作用効果を奏することができる。
【００４１】
次に、図１３及び図１４に基づいて、前記揺動機構の別例に係る実施形態（以下、第５実施形態とする）について説明する。
この第５実施形態の特徴は、前記揺動機構を構成する操作スライダー１５に「ガタツキ防止手段」を取付けて、操作スライダー１５Ｂとしたものである。
【００４２】
前記操作スライダー１５Ｂを構成するスライダー本体１５１は、本体部１５１ａと、蓋体部１５１ｂと、本体部１５１ａと蓋体部１５１ｂをカシメるカシメ部１５１ｃからなっている。
そして、前記本体部１５１ａと蓋体部１５１ｂにそれぞれ設けられている前記ねじり状の孔１５２に前記ねじりバー３をセットした後、カシメ部１５１ｃにより固定するようにしている。
なお、カシメ部１５１ｃに前記摘み片１５０が固定されている。
【００４３】
この操作スライダー１５Ｂに「ガタツキ防止手段」を取付けた理由及び構成例を説明する。
前記ねじり状の孔１５２をねじりバー３の「ねじれ」にそって忠実に形成すると、操作スライダー１５を操作する際に、「ガタ」が生じる。また全てのねじりバー３に全く同一の「ねじれ」を形成させることは困難である。
よって、前記ねじり状の孔１５２にはねじりバー３のためにクリアランス（遊び）が必要になる。この場合に、このクリアランスを調整し、快適なスライド操作を実現するものが、「ガタツキ防止手段」である。
【００４４】
「ガタツキ防止手段」は、本体部１５１ａに設けられた２列の孔１５１ｄ、１５１ｄにそれぞれスプリング１５１ｅ、ボール１５１ｆを嵌め込んで構成されている。
この「ガタツキ防止手段」の作用を図１５に基づいて説明すると、前記スプリング１５１ｅにより前記蓋体部１５１ｂに向かって付勢されるボールがねじりバー３に当接すると共に、操作スライダー１５Ｂのスライドにより回転する。
その結果、前記ねじり状の孔１５２に挿入されてねじりバー３に作用するクリアランスＣが、適度に調整されることになり、前記スライダー本体１５１に「ガタ」が生じることなく、スムーズにスライドさせることができる。
【００４５】
次に、図１６乃至図２２に基づいて、第６実施形態に係る雨戸1Ｃの構成例について説明する。
図１６は雨戸1Ｃの正面図、図１７は雨戸1Ｃに取付けられた戸車装置の正面図、図１８は同側面図、図１９は戸車装置を構成する戸車ケースの正面図、図２０は同底面図、図２１は同側面図、図２２は戸車装置を構成するケース取付部の正面図、図２３は同平面図、図２４は同側面図である。
【００４６】
この第６実施形態に係る雨戸1Ｃの特徴は、雨戸枠１６のレール構造１６０に対応できる戸車装置９を取付けたことである。
この戸車装置９は、図１６に示したように、前記戸車８に代えて前記下框１１に取付けられるもので、図１７に示したように、戸車ケース９０と、この戸車ケース９０を回動自在に取付けるケース取付部９１と、前記戸車ケース９０を固定する止着具９２、９３を備えている。
そして前記戸車ケース９０には、タイプの異なる２種類の戸車９００、９０１が回転自在に取付けられている。
【００４７】
前記戸車ケース９０は、連結部９０２ａ、９０２ｂを残して切欠かれた下開きコ字状のケース９０２に、前記戸車９００（半平車）、９０１（Ｕ溝車）を軸着させると共に、ケース９０２から臨ませている。そして前記連結部９０２ａに前記止着具９２、９３用の止着部９０３を設けている。
このように構成された戸車ケース９０は、その一端が前記ケース取付部９１のＵ字形部９１０を挟みこんで、軸孔９０４に取付けられる軸９０５を介して、前記ケース取付部９１に回転自在に取付けられている。
【００４８】
前記ケース取付部９１は、下開きコ字状のケース９１１の略中央に前記Ｕ字形部９１０を形成すると共に、前記戸車９００（半平車）を用いる場合に、他方の戸車９０１（Ｕ溝車）が納められる凹部９１２、前記戸車９０１（Ｕ溝車）を用いる場合に、他方の戸車９００（半平車）との干渉を避ける凹み９１３が形成されている。
そして、ケース９１１上面に前記止着具９２、９３用の止着孔９２０、９３０を設け、またケース９１１自体を下框１１に止着するための止着孔９１４を形成している。
【００４９】
上記のように構成された戸車装置９では、図２５に示したように、レールが設けられていない雨戸枠のレール構造の場合には、前記戸車９００（半平車）を用いるため、前記止着具９２を用いて、前記戸車ケース９０を前記ケース取付部９１に固定する。
一方、前記戸車９０１（Ｕ溝車）を用いる場合には、前記戸車ケース９０を回転（図面上の反時計回り）させて、前記止着具９３を用いて、前記戸車ケース９０を前記ケース取付部９１に固定すればよい。
よって、上記戸車装置を取付けた雨戸１Ｃによれば、予め雨戸枠のレール構造を調べることなく、取付現場でレール構造を見て戸車を選択し、直ちに雨戸を取付けることができるので、取付作業の煩雑さを解消できる。
【００５０】
上記各実施形態では、上記各揺動機構を用いる装置として雨戸を例示したが、これに限定されることなく、面格子、ガラリなど、建物の開口の開閉にスラットを用いる装置にも利用できる。
また、建物以外であっても空気調和機等の吹出口等にも応用できる。
【００５１】
【発明の効果】
請求項１及び２に記載の発明によれば、スラットの開閉を行う揺動機構は、操作スライダー等のスライド力付与装置を左右にスライドさせるというスライド運動によって動作させることができるので、スラットの揺動操作の容易性が向上している。
また、請求項３に記載の発明によれば、操作スライダーをスムーズにスライドさせることができる。
【００５２】
請求項４に記載の発明によれば、スラットの閉鎖時には、防犯、防雨、防風の機能を果たすことができると共に、スラットの開放時には、通風、換気及び採光が可能となる、
また、スライド力を回転力に変換させるねじりバーを用いているので、スライド力を付与する装置がコンパクトに雨戸框に納められる、
また、ねじりバーのねじれ角を調整することにより、スライド力の付与の強弱、スラットの揺動角度（開閉角度）を調節できる、
さらに、スラットを好きな開閉角度に静止させることができ、且つ、その状態でスラットを動かしても、その力がねじりバーに伝達し難い、という作用効果を奏する。
【００５３】
請求項５に記載の発明によれば、操作者がスラットの開閉操作がし易い雨戸を提供できる。
【００５４】
請求項６に記載の発明によれば、第１，第２の各揺動機構の操作により、中框を境に上下部の各スラットの開閉角度を調節することができる。
【００５５】
請求項７に記載の発明によれば、上記雨戸は、戸袋に収納でき或いは戸袋から引出せるようになっている。
【００５６】
請求項８に記載の発明によれば、予め施工業者側が雨戸枠のレール構造を調べたり、問合せすることなく、取付現場でレール構造を見て戸車を選択し、直ちに雨戸を取付けることができるので、取付作業の煩雑さを解消できる。
【図面の簡単な説明】
【図１】  第１実施形態に係る雨戸の室外側正面図、
【図２】  （ａ）同雨戸の室内側正面図、（ｂ）雨戸の一部図示を省略した縦断面図、（ｃ）同横断面図、
【図３】  揺動機構を収容した中框の要部正面図、
【図４】  同要部平面図、
【図５】  図３のＡ−Ａ矢視断面図、
【図６】  Ｂ−Ｂ矢視断面図、
【図７】  揺動機構の分解斜視図、
【図８】  揺動機構の構成するねじりバーの正面図、
【図９】  （ａ）〜（ｄ）スラット開閉状態説明図、
【図１０】  第２実施形態に係る雨戸の室内側要部正面図、
【図１１】  第３実施形態に係る雨戸の室内側要部正面図、
【図１２】  別例に係る揺動機構（第４実施形態）の分解斜視図、
【図１３】  別例に係る揺動機構（第５実施形態）の操作スライダーの斜視図、
【図１４】  同操作スライダーの分解斜視図、
【図１５】  同操作スライダーの動作説明図、
【図１６】  第６実施形態に係る雨戸の室外側正面図、
【図１７】  同雨戸の戸車装置の正面図、
【図１８】  同側面図、
【図１９】  同戸車装置を構成する戸車ケースの正面図、
【図２０】  同底面図、
【図２１】  同側面図、
【図２２】  同戸車装置を構成するケース取付部の正面図、
【図２３】  同平面図、
【図２４】  同側面図、
【図２５】  同戸車装置を作用説明図。
【符号の説明】
１  １Ａ  １Ｂ  雨戸            １０，１１  上下框
１２，１３  左右竪框            １２０  １３０  遮光片
１４  中框                      １５  操作スライダー
１４０  室内側凹面              １４１  スライド枠
１５０  摘み片                  １５１  スライダー本体
１５１ａ  本体部                １５１ｂ  蓋体部
１５１ｃ  カシメ部
１５１ｄ  孔                    １５１ｅ
１５１ｆ  ボール
１５２  孔
１６  雨戸枠                    １６０  レール構造
２  スラット
２０  取付部                    ２１  中空部
２２  板状部                    ２３  消音部材
３  ねじりバー
３０  一端                      ３１  他端
３２  回転軸                    ３３  軸受
３２０  固定円柱部              ３２１  回転部
３２２  ４角孔                  ３２３  段差
４  バー部材
４０  ４１  孔
５  第１の伝達部材              ６  第２の伝達部材
５０  第１の伝達部材の一端      ５１  他端
６０  第２の伝達部材の一端      ６１  他端
７  ７Ａ  スラットホルダ        ７０  回転軸
７１  鍔部                      ７２  楔部
８  戸車
９  戸車装置
９０  戸車ケース                ９１  ケース取付部
９２、９３  止着具              ９００、９０１  戸車
９０２ａ、９０２ｂ  連結部      ９０２  ケース
９０３  止着部                  ９０４  軸孔
９０５  軸
９１０  Ｕ字形部                ９１１  ケース
９１２  凹部                    ９１３  凹み
９１４  止着孔
【図１】
0003683520.tif 000002
【図２】
0003683520.tif 000003
【図３】
0003683520.tif 000004
【図４】
0003683520.tif 000005
【図５】
0003683520.tif 000006
【図６】
0003683520.tif 000007
【図７】
0003683520.tif 000008
【図８】
0003683520.tif 000009
【図９】
0003683520.tif 000010
【図１０】
0003683520.tif 000011
【図１１】
0003683520.tif 000012
【図１２】
0003683520.tif 000013
【図１３】
0003683520.tif 000014
【図１４】
0003683520.tif 000015
【図１５】
0003683520.tif 000016
【図１６】
0003683520.tif 000017
【図１７】
0003683520.tif 000018
【図１８】
0003683520.tif 000019
【図１９】
0003683520.tif 000020
【図２０】
0003683520.tif 000021
【図２１】
0003683520.tif 000022
【図２２】
0003683520.tif 000023
【図２３】
0003683520.tif 000024
【図２４】
0003683520.tif 000025
【図２５】
0003683520.tif 000026